(57)【要約】【課題】前面開口部に内外温度差のあるエアカーテンを乱れなく形成するとともに通風路内の全域において空気の乱れを防止でき、結露水のショーケース本体内への滴下を抑制しつつ省エネルギ化を図ったオープンショーケースを提供する。【解決手段】空気吹出部(26)のうち上面内側通風路(24)の出口部分には、該上面内側通風路から吹き出される一部の風の向きを下方に変える風制御板(60)を備えている。【選択図】図２
2009300031.tif 000002
【特許請求の範囲】
【請求項１】
前面を開口したショーケース本体と、該ショーケース本体の上面に沿って前後方向に延びる上面側通風路と、該上面側通風路内を上下方向で上面外側通風路及び上面内側通風路に仕切る水平仕切板とを備えるとともに、上面側通風路の前方に下方に向け開口する空気吹出部を有し、前記上面外側通風路及び前記上面内側通風路から前記水平仕切板に沿い吹き出される温度の異なる風を前記空気吹出部の開口部分に設けた整流部材を介して下方に吹き出すことにより、前記ショーケース本体の前面開口部にエアカーテンを形成するオープンショーケースにおいて、
前記空気吹出部のうち前記上面内側通風路の出口部分には、該上面内側通風路から前記空気吹出部に吹き出される一部の風の向きを下方に変える風制御板を備えることを特徴とするオープンショーケース。
【請求項２】
前記風制御板は、風下側に向け下方に傾斜する傾斜部を有し、該傾斜部の風上側の基端部は前記上面内側通風路と前記空気吹出部との境界面上にあることを特徴とする、請求項１記載のオープンショーケース。
【請求項３】
前記風制御板は、前記傾斜部の前記基端部よりも風上側に前記水平仕切板に沿う水平部を有することを特徴とする、請求項２記載のオープンショーケース。
【請求項４】
前記風制御板は、風下側の先端と前記整流部材との間に上下方向で所定距離の間隙を有するよう位置していることを特徴とする、請求項１乃至３のいずれか記載のオープンショーケース。
【請求項５】
前記風制御板は、風下側の先端が水平方向で視て前記空気吹出部の開口部分のうち前記上面側通風路側から所定寸法の距離に前記空気吹出部の前記開口部分の開口寸法に対する該所定寸法の比率が略１／５になるよう位置していることを特徴とする、請求項１乃至４のいずれか記載のオープンショーケース。
【請求項６】
さらに、前記ショーケース本体の背面に沿い上下方向に延びて前記上面側通風路から連続する背面側通風路が形成され、該背面側通風路は垂直仕切板により前後方向で背面外側通風路及び背面内側通風路に仕切られるとともに、該背面内側通風路には蒸発器が設置されており、
前記蒸発器は吹き出し口に風案内板を備え、該風案内板は風下側が通路壁に漸近する傾斜面を有していることを特徴とする、請求項１乃至５のいずれか記載のオープンショーケース。
【請求項７】
さらに、前記ショーケース本体の背面に沿い上下方向に延びて前記上面側通風路から連続する背面側通風路が形成され、該背面側通風路は垂直仕切板により前後方向で背面外側通風路及び背面内側通風路に仕切られるとともに、該背面内側通風路は中間部分にて該背面内側通風路を流れる風の供給を受けており、
前記背面内側通風路の底部分には、該背面内側通風路を流れる風を前記ショーケース本体の内部に導く傾斜部を有した風誘導板が設けられていることを特徴とする、請求項１乃至６のいずれか記載のオープンショーケース。
【発明の詳細な説明】
【技術分野】
【０００１】
本発明は、ショーケース本体の前面開口部にエアカーテンを形成するオープンショーケースに関するものである。
【背景技術】
【０００２】
従来、この種のオープンショーケースとして、前面を開口したショーケース本体と、ショーケース本体の上面、背面及び底面に沿って形成された通風路とを備え、ショーケース本体の下部前端から底面側通風路に吸入した空気を背面側通風路内に設けた冷却器によって冷却し、冷却風を上面側通風路の前端から吹き出すことにより、ショーケース本体の前面開口部にエアカーテンを形成するようにしたものが知られている。
【０００３】
そして、近年では、上面側通風路内を外側通風路及び内側通風路に仕切るとともに外側通風路及び内側通風路の前端に互いに隣接するようにそれぞれ空気吹出口を設け、各空気吹出口から温度の異なる風を吹き出すことにより内外二層のエアカーテンを形成する構成のオープンショーケースが開発されている。この場合、例えば、内側通風路の空気吹出口からは冷却器によって冷却された温度の低い空気を吹き出し、外側通風路の空気吹出口からは冷却器を通さない内側通風路よりも温度の高い空気を吹き出すようにしている。
【０００４】
また、このようなオープンショーケースでは、各空気吹出口から吹き出される空気の乱れを抑えて安定したエアカーテンを形成すべく、各空気吹出口に位置して整流部材を取付けるようにしている。
しかしながら、このような整流部材を備えて内外二層のエアカーテンを形成する構成のオープンショーケースでは、外側通風路の空気吹出口から吹き出される空気の流速と内側通風路の空気吹出口から吹き出される空気の流速との間に速度差があることから、また外側通風路と内側通風路との間の仕切りが整流部材まで延びていると外側通風路と内側通風路を流れる空気が整流部材を通過した後に合流し、その合流付近で渦流が発生し、エアカーテンに乱れが生じ易いという問題がある。
【０００５】
また、外側通風路と内側通風路との間の仕切りが整流部材まで延びていると、外側通風路の空気と内側通風路の空気との温度差により外側通風路の空気中の水分が内側通風路の冷却された空気の温度で冷やされ、仕切りの外側通風路面上で結露してショーケース本体内に滴下し、好ましいことではない。
そこで、例えば、整流部材の手前で外側通風路の空気と内側通風路の空気とを合流させ、当該合流した空気を整流部材に流すことで風速分布のばらつきを抑え且つ結露水のショーケース本体内への滴下をも防止するように図ったオープンショーケースが開発されている（特許文献１参照）。
【特許文献１】特開２００３−５６９６７号公報
【発明の開示】
【発明が解決しようとする課題】
【０００６】
ところで、上記特許文献１に開示されたオープンショーケースでは、エアカーテンの外側の流速の方が内側の流速よりも速くなっており、このようにエアカーテンの外側の流速が速いと外気を巻き込み易く、これによりエアカーテンに乱れが生じ易く、故にショーケース本体内への熱の侵入を十分に阻止できないおそれがあり、エネルギ効率が悪いという問題がある。
【０００７】
また、上記特許文献１に開示されるように、整流部材の手前で外側通風路の空気と内側通風路の空気とを合流させると、内側の冷却された空気の流速が落ちてしまい、内側に冷気のエアカーテンを十分に形成することができず、ショーケース本体内の温度を十分に低温に維持できないおそれがあり、やはりエネルギ効率が悪いという問題がある。
さらに、エネルギ効率の向上を図るためには、通風路内の全域において渦流の発生を極力抑えて空気の乱れを防止することが必要と考えられる。
【０００８】
本発明はこのような事情に鑑みなされたもので、その目的とするところは、前面開口部に内外温度差のあるエアカーテンを乱れなく形成するとともに通風路内の全域において空気の乱れを防止でき、結露水のショーケース本体内への滴下を抑制しつつ省エネルギ化を図ったオープンショーケースを提供することにある。
【課題を解決するための手段】
【０００９】
上記の目的を達成するべく、請求項１のオープンショーケースは、前面を開口したショーケース本体と、該ショーケース本体の上面に沿って前後方向に延びる上面側通風路と、該上面側通風路内を上下方向で上面外側通風路及び上面内側通風路に仕切る水平仕切板とを備えるとともに、上面側通風路の前方に下方に向け開口する空気吹出部を有し、前記上面外側通風路及び前記上面内側通風路から前記水平仕切板に沿い吹き出される温度の異なる風を前記空気吹出部の開口部分に設けた整流部材を介して下方に吹き出すことにより、前記ショーケース本体の前面開口部にエアカーテンを形成するオープンショーケースにおいて、前記空気吹出部のうち前記上面内側通風路の出口部分には、該上面内側通風路から前記空気吹出部に吹き出される一部の風の向きを下方に変える風制御板を備えることを特徴とする。
【００１０】
請求項２のオープンショーケースは、請求項１において、前記風制御板は、風下側に向け下方に傾斜する傾斜部を有し、該傾斜部の風上側の基端部は前記上面内側通風路と前記空気吹出部との境界面上にあることを特徴とする。
請求項３のオープンショーケースは、請求項２において、前記風制御板は、前記傾斜部の前記基端部よりも風上側に前記水平仕切板に沿う水平部を有することを特徴とする。
【００１１】
請求項４のオープンショーケースは、請求項１乃至３のいずれかにおいて、前記風制御板は、風下側の先端と前記整流部材との間に上下方向で所定距離の間隙を有するよう位置していることを特徴とする。
請求項５のオープンショーケースは、請求項１乃至４のいずれかにおいて、前記風制御板は、風下側の先端が水平方向で視て前記空気吹出部の開口部分のうち前記上面側通風路側から所定寸法の距離に前記空気吹出部の前記開口部分の開口寸法に対する該所定寸法の比率が略１／５になるよう位置していることを特徴とする。
【００１２】
請求項６のオープンショーケースは、請求項１乃至５のいずれかにおいて、さらに、前記ショーケース本体の背面に沿い上下方向に延びて前記上面側通風路から連続する背面側通風路が形成されており、該背面側通風路は垂直仕切板により前後方向で背面外側通風路及び背面内側通風路に仕切られるとともに、該背面内側通風路には蒸発器が設置されており、前記蒸発器は吹き出し口に風案内板を備え、該風案内板は風下側が通路壁に漸近する傾斜面を有していることを特徴とする。
【００１３】
請求項７のオープンショーケースは、請求項１乃至６のいずれかにおいて、さらに、前記ショーケース本体の背面に沿い上下方向に延びて前記上面側通風路から連続する背面側通風路が形成され、該背面側通風路は垂直仕切板により前後方向で背面外側通風路及び背面内側通風路に仕切られるとともに、該背面内側通風路は中間部分にて該背面内側通風路を流れる風の供給を受けており、前記背面内側通風路の底部分には、該背面内側通風路を流れる風を前記ショーケース本体の内部に導く傾斜部を有した風誘導板が設けられていることを特徴とする。
【発明の効果】
【００１４】
請求項１のオープンショーケースによれば、空気吹出部のうち上面内側通風路の出口部分には、該上面内側通風路から空気吹出部に吹き出される風の向きを下方に変える風制御板を備えているので、上面外側通風路及び上面内側通風路から温度の異なる風が空気吹出部及び整流部材を介して下方に吹き出され、ショーケース本体の前面開口部に内外温度差のあるエアカーテンが形成されることになるが、この際、上面内側通風路から吹き出される風のうち一部である内側の部分の風は風制御板によって下方に向けられることになり、相対的にエアカーテンの内側の風速を速くする一方外側の風速を遅くするようにして外気を巻き込み難くでき、エアカーテンの乱れを良好に防止することができる。
【００１５】
また、風制御板は上面内側通風路から吹き出される一部の風の向きを下方に変えるので、風制御板の上下面に同じ温度の空気が流れて上下面間で温度差が生じず、風制御板上で結露水が生じることがなく、ショーケース本体内への結露水の滴下を抑制することができる。
これにより、十分に外側が遅く内側が速くなるエアカーテンを良好に形成して外部からショーケース本体内への熱の侵入を十分に阻止し、ショーケース本体内の温度を例えば低温に十分に維持することができ、結露水のショーケース本体内への滴下を抑制しつつエネルギ効率を向上させて省エネルギ化を図ることができる。
【００１６】
請求項２のオープンショーケースによれば、風制御板は、風下側に向け下方に傾斜する傾斜部を有し、該傾斜部の風上側の基端部は上面内側通風路と空気吹出部との境界面上にあるので、風制御板によって下方に向けられる風が上面内側通風路の内側の壁に衝突してしまわないようにできるとともに、上面内側通風路と空気吹出部との境界面から外側へ遠く離れてしまわないようにでき、エアカーテンの内側の風速を抵抗少なく確実に速くするようにできる。
【００１７】
請求項３のオープンショーケースによれば、風制御板は、傾斜部の基端部よりも風上側に水平仕切板に沿う水平部を有するので、上面内側通風路からの風を水平部に沿わせながら傾斜部においてスムーズに下方に変えるようにできる。
請求項４のオープンショーケースによれば、風制御板は、風下側の先端と整流部材との間に上下方向で所定距離の間隙を有するよう位置しているので、風制御板の風下側の先端が整流部材まで延びていると整流部材を通過後に合流により渦流が発生するが、このような渦流の発生が抑制され、風速のばらつきを極力少なく抑えつつ、エアカーテンの乱れを良好に防止することができる。
【００１８】
また、請求項５のオープンショーケースによれば、風制御板は、風下側の先端が水平方向で視て空気吹出部の開口部分のうち上面側通風路側から所定寸法の距離に空気吹出部の開口部分の開口寸法に対する該所定寸法の比率が略１／５になるよう位置しているので、風制御板によって下方に向けられる風が空気吹出部の開口部分の中央よりも離れてしまわないようにでき、エアカーテンの内側の風速を確実に速くするようにできる。
【００１９】
また、請求項６のオープンショーケースによれば、背面内側通風路に設置された蒸発器は吹き出し口に風案内板を備えているので、風案内板により抵抗を減らしつつ蒸発器の吹き出し口での渦流の発生を抑えて空気の乱れを防止でき、より一層省エネルギ化を図ることができる。
また、請求項７のオープンショーケースによれば、背面内側通風路の底部分において、背面内側通風路を流れる風を風誘導板により澱みを無くして渦流の発生を抑えつつ乱れなくショーケース本体の庫内に導くようにでき、さらなる省エネルギ化を図ることができる。
【発明を実施するための最良の形態】
【００２０】
以下、本発明の実施形態を図面を参照しながら説明する。
図１には、本発明に係るオープンショーケースの側面断面図が示されており、図２には、図１のＰ部拡大図が示されており、以下これらの図に基づきオープンショーケースの構成を説明する。
本発明に係るオープンショーケースは、前面を開口したショーケース本体１０と、ショーケース本体１０の上面、背面及び底面に沿って形成された通風路２０、３０、４０とを備え、ショーケース本体１０内には商品棚１１が取付けられている。
【００２１】
上面側通風路２０内は前後方向に延びる水平仕切板２２によって上下に仕切られており、水平仕切板２２の上方が外側通風路（上面外側通風路）２３を形成し、水平仕切板２２の下方が内側通風路（上面内側通風路）２４を形成している。なお、水平仕切板２２の水平は、水平を含む略水平の意であり、実際には、水平仕切板２２は図１に示すように後方が下がるように緩傾斜している。
【００２２】
上面側通風路２０の前方には空気吹出部２６が形成されており、当該空気吹出部２６には下方に向け空気吹出口２０ａが開口している。そして、空気吹出口２０ａにはハニカム構造を有した整流部材２１が取付けられている。
背面側通風路３０は、その内部が水平仕切板２２と連続し上下方向に延びる垂直仕切板３１によって前後に仕切られており、垂直仕切板３１の後方が外側通風路（背面外側通風路）３２を形成し、垂直仕切板３１の前方が内側通風路（背面内側通風路）３３を形成している。即ち、外側通風路３２及び内側通風路３３は上面側通風路２０の外側通風路２３及び内側通風路２４にそれぞれ連通している。
【００２３】
そして、内側通風路３３内には蒸発器（冷却器）３４が設けられ、蒸発器３４は図示しない冷凍回路に接続されている。
底面側通風路４０は前端に空気吸入口４０ａを有し、空気吸入口４０ａは上方に向かって開口している。底面側通風路４０内には送風機４１が設けられ、送風機４１の下流側は背面側通風路３０の外側通風路３２及び内側通風路３３にそれぞれ連通している。
【００２４】
ところで、上記空気吹出部２６のうち内側通風路２４の出口部分には、高さ方向で当該出口部分の中間に位置して、当該内側通風路２４から吹き出される風のうち一部である内側の部分の風の向きを下方に変える風制御板６０が配設されている。この風制御板６０は、平板状に形成され、その前端部は、風下側に向け下方に傾斜し、傾斜部６２を形成している。
【００２５】
詳しくは、図２に示すように、風制御板６０の傾斜部６２は、風上側の基端部６６が内側通風路２４と空気吹出部２６との境界面上に位置し、当該基端部６６を基点に所定の俯角θ（例えば、２０°またはその近傍）及び所定長さＸを有して下方に傾斜している。
ここに、傾斜部６２の所定長さＸは、所定の俯角θに応じて設定されている。具体的には、例えば所定の俯角θが２０°のときに３０mmまたはその近傍となり、該所定の俯角θが小さいほど長く、大きいほど短くなるように設定されている（例えば、所定の俯角θが１０°のときに４０mm、３０°のときに２３mm）。
【００２６】
そして、基端部６６の風上側には、水平仕切板２２に沿い延びて空気の流れに平行な水平部６４が形成されている。
さらに、風制御板６０は、傾斜部６２の先端６３と整流部材２１との間に上下方向で所定距離Ｈ（例えば、３mm前後）の間隙が形成されるように配置されている。
また、図２に示すように、風制御板６０は、傾斜部６２の先端６３が水平方向で視て空気吹出口２０ａのうち上面側通風路２０側から所定寸法Ｙ2の距離に位置するように配置されている。ここに、所定寸法Ｙ2と空気吹出口２０ａの開口寸法（Ｙ1＋Ｙ2）との比率｛Ｙ2／（Ｙ1＋Ｙ2）｝は略１／５に設定されている。
【００２７】
一方、図３には本発明に係るオープンショーケースの正面透視図が示されているが、同図に示すように、蒸発器３４の吹き出し口には風案内板３６が設けられており、該風案内板３６は、風下側が内側通風路３３の通路側壁に漸近するよう、即ち徐々に内側通風路３３を拡幅するよう、傾斜面３６ａを有している。
また、内側通風路３３では、上記図２に示すように、蒸発器３４の上部において空気は上昇風と下降風とに分かれて流れ、それぞれ一部が直接ショーケース本体１０の庫内に流れることになるが、内側通風路３３の底部分には、ショーケース本体１０の庫内側に向けて傾斜する傾斜部３８ａを有し、下降風をショーケース本体１０の庫内に導くための風誘導板３８が設けられている。
【００２８】
以下、このように構成された本発明に係るオープンショーケースの作用及び効果について説明する。
送風機４１の送風により、空気吸入口４０ａから底面側通風路４０内に吸入された空気が背面側通風路３０の外側通風路３２及び内側通風路３３にそれぞれ流入し、外側通風路３２を流通する空気は上面側通風路２０の外側通風路２３及び空気吹出部２６を介して空気吹出口２０ａから吹き出される。一方、背面側通風路３０の内側通風路３３を流通する空気は蒸発器３４によって冷却された後、上面側通風路２０の内側通風路２４及び空気吹出部２６を介して空気吹出口２０ａから吹き出される。これにより、ショーケース本体１０の前面開口部に内外温度差のあるエアカーテン５０が形成される。
【００２９】
また、上述したように、内側通風路３３を流通する冷却された空気の一部は背面側から直接ショーケース本体１０の庫内に吹き出される。
ここで、図４を参照すると、空気吹出口２０ａの吹出部（図２のＤ−Ｄ面）において風制御板６０の所定の俯角θを変えて測定した風速分布が示されている。なお、同図には、所定の俯角θを２０°とし所定長さＸを３０mmとした場合が実線で、所定の俯角θを３０°とし所定長さＸを２３mmとした場合が破線で、所定の俯角θを１０°とし所定長さＸを４０mmとした場合が一点鎖線で示されている。
【００３０】
同風速分布によれば、空気吹出口２０ａの前端位置から後端位置（内側通風路２４の出口端）までの間（Ａ−Ｃ間）において、所定の俯角θ及び所定長さＸの下、上面側通風路２０側のＣ部付近で最も風速が速くなり、Ａ部側に向かって風速が遅くなっていることが分かる。そして、特に所定の俯角θを２０°とし所定長さＸを３０mmとした場合（実線）において、全体として風速のばらつきが少なく抑えられるとともに、Ｃ部付近で最も風速が速くなっていることが分かる。
【００３１】
このように、本発明に係るオープンショーケースでは、空気吹出部２６のうち内側通風路２４の出口部分に、当該内側通風路２４から吹き出される一部の風の向きを下方に変える風制御板６０を配設するようにしている。
従って、エアカーテン５０の内側の風速を速くする一方外側の風速を遅くし、即ち内側通風路２４からの冷却された空気の流速を速くする一方外側通風路２３からの空気の流速を遅くすることが可能となり、外気を巻き込み難くでき、エアカーテン５０の乱れを良好に防止することができる。
【００３２】
また、風制御板６０は内側通風路２４の出口部分に一部の風の向きを下方に変えるよう、高さ方向で当該出口部分の中間に位置しているので、風制御板６０の上下面に同一温度の空気が流れて上下面間で温度差が生じず、故に風制御板６０上で結露水が生じることがなく、併せてショーケース本体１０内への結露水の滴下を抑制することができる。
これにより、十分に内外温度差があり内側の風速が速いエアカーテン５０を形成しつつ、ショーケース本体１０内への熱の侵入を十分に阻止してショーケース本体１０内の温度を十分に低温に維持することができ、結露水のショーケース本体１０内への滴下を抑制しつつエネルギ効率を向上させて省エネルギ化を図ることができる。
【００３３】
特に、風制御板６０の傾斜部６２の基端部６６を内側通風路２４と空気吹出部２６との境界面上に位置させ、当該基端部６６を基点に所定の俯角θ（例えば、２０°またはその近傍）及び所定長さＸを有して傾斜部６２を形成するようにしているので、風制御板６０によって下方に向けられる風が内側通風路２４の内側の壁に衝突してしまわないようにできるとともに、内側通風路２４と空気吹出部２６との境界面から外側へ遠く離れてしまわないようにでき、エアカーテン５０の内側の風速を抵抗少なく確実に速くするようにできる。
【００３４】
また、基端部６６の風上側に水平仕切板２２に沿い延びて空気の流れに平行な水平部６４を形成していることにより、内側通風路２４からの風を水平部６４に沿わせながら傾斜部６２においてスムーズに下方に変えるようにできる。
また、傾斜部６２の先端６３と整流部材２１との間に上下方向で所定距離Ｈの間隙を形成することにより、先端６３が整流部材２１まで延びている場合には当該先端６３近傍で流速が大きく低下して風速がばらつき易いのであるが、このような風速のばらつきを極力少なく抑えつつ、エアカーテン５０の内側の風速を確実に速くする一方外側の風速を遅くするようにでき、十分に内外温度差があり内側の風速が速いエアカーテン５０を形成することができる。
【００３５】
さらに、所定寸法Ｙ2と空気吹出口２０ａの開口寸法との比率｛Ｙ2／（Ｙ1＋Ｙ2）｝が略１／５になるように傾斜部６２の先端６３を上面側通風路２０側から所定寸法Ｙ2の距離に位置させるようにしているので、風制御板６０によって下方に向けられる風が空気吹出口２０ａの中央よりも離れてしまわないようにでき、エアカーテン５０の内側の風速を確実に速くするようにできる。
【００３６】
また、蒸発器３４の吹き出し口に風案内板３６を設け、当該風案内板３６を風下側で内側通風路３３の通路側壁に漸近させるようにしているので、内側通風路３３内において抵抗を減らし渦流の発生を抑えて空気の乱れを防止でき、より一層省エネルギ化を図ることができる。
さらに、内側通風路３３の底部には、ショーケース本体１０側に向けて傾斜する傾斜部３８ａを有した風誘導板３８を設けるようにしているので、内側通風路３３の底部において澱みを無くして渦流の発生を抑えつつ下降風を乱れなくショーケース本体１０の庫内に導くようにでき、さらなる省エネルギ化を図ることができる。
【００３７】
例えば、図５を参照すると、オープンショーケースにおけるショーケース本体１０内の平均温度と消費電力との関係を示す実験データが、上記の如く風制御板６０（例えば、所定の俯角θが２０°で所定長さＸが３０mm）を設け且つ風案内板３６及び風誘導板３８を設けた場合（○印及び実線）とこれら風制御板６０等を設けない従来の場合（□印及び破線）とで比較して示されているが、同図に示すように、風制御板６０、風案内板３６及び風誘導板３８を設けるようにした場合（実線）においては、これらを有しない従来の場合（破線）に比べ、ショーケース本体１０の平均温度が常用温度（例えば、５℃）近傍において、約１０％の省エネルギ化を実現することが可能となる。
【００３８】
以上で本発明の一実施形態についての説明を終えるが、本発明は上記実施形態に限定されるものではなく、本発明の趣旨を逸脱しない範囲で種々の変更ができるものである。
例えば、上記実施形態では、上面側通風路２０を二重に形成するようにしたが、三重であってもよい。
【図面の簡単な説明】
【００３９】
【図１】本発明に係るオープンショーケースの側面断面図である。
【図２】図１のＰ部拡大図である。
【図３】本発明に係るオープンショーケースの正面透視図である。
【図４】空気吹出口における風速分布を示す図である。
【図５】オープンショーケースにおけるショーケース本体内の平均温度と消費電力との関係を示す実験データである。
【符号の説明】
【００４０】
１０  ショーケース本体
２０  上面側通風路
２０ａ  空気吹出口
２１  整流部材
２２  水平仕切板
２３  外側通風路（上面外側通風路）
２４  内側通風路（上面内側通風路）
２６  空気吹出部
３０  背面側通風路
３２  外側通風路（背面外側通風路）
３３  内側通風路（背面内側通風路）
３４  蒸発器
３６  風案内板
３６ａ  傾斜面
３８  風誘導板
３８ａ  傾斜部
６０  風制御板
６２  傾斜部
６３  先端
６４  水平部
６６  基端部
【図１】
2009300031.tif 000003
【図２】
2009300031.tif 000004
【図３】
2009300031.tif 000005
【図４】
2009300031.tif 000006
【図５】
2009300031.tif 000007